(57)【特許請求の範囲】
【請求項１】
入射光束を画像情報に応じて変調する複数の光変調装置と、当該各光変調装置の光束射出側に設けられ、それぞれの前記光変調装置から射出された光束を光学的に変換する複数の光学素子と、当該各光学素子の光束射出側に位置する複数の光束入射面を有し、前記各光学素子から射出された光束を合成して光学像を形成するプリズムとを備え、プロジェクタに用いられる光学装置であって、
前記複数の光変調装置のうち、少なくともいずれかを保持する保持部材と、
前記保持部材により保持される前記光変調装置から射出された光束が入射する前記光学素子の光束入射側および光束射出側に配置され、前記光学素子を挟持する一対の透光性基板とを備え、
前記一対の透光性基板のうち、前記光学素子の光束射出側に配置された射出側基板は、当該光学素子より大きな寸法を有し、
当該射出側基板は、前記プリズムの前記光束入射面に固定され、
前記保持部材には、当該保持部材により保持される前記光変調装置から射出された光束が通過する開口が形成され、
当該保持部材は、前記一対の透光性基板のうち、前記光学素子の光束入射側に配置される入射側基板、及び、前記光学素子を覆うように、前記射出側基板に取り付けられることを特徴とする光学装置。
【請求項２】
請求項１に記載の光学装置において、
前記射出側基板は、
当該射出側基板に入射する光束の光軸に略直交する方向に、当該プリズムから延出するように固定され、
前記保持部材は、
前記射出側基板の光束入射側の面における前記プリズムからの延出部分に対応する位置に取り付けられていることを特徴とする光学装置。
【請求項３】
請求項１または請求項２に記載の光学装置において、
前記入射側基板と、前記保持部材に保持された前記光変調装置との間には、所定の間隔を有する隙間が設けられていることを特徴とする光学装置。
【請求項４】
光源から射出された光束を画像情報に応じて変調して光学像を形成し、形成された前記光学像を投射するプロジェクタであって、
請求項１から請求項３のいずれかに記載の光学装置を備え、
前記光変調装置は、前記光源から射出された光束の光軸上に配置されることを特徴とするプロジェクタ。
【発明の詳細な説明】
【技術分野】
【０００１】
本発明は、入射光束を画像情報に応じて変調して光学像を形成する光学装置、および、当該光学装置を備えたプロジェクタに関する。
【背景技術】
【０００２】
従来、画像情報に応じた光学像を形成して、当該光学像をスクリーン等に拡大投射するプロジェクタが知られている。このようなプロジェクタとして、光源と、当該光源から射出された光束を画像情報に応じて変調する光変調装置と、当該変調された光学像としての光束を投射する投射レンズとを備えたプロジェクタが知られている。
【０００３】
近年、形成画像の画質や色再現性を向上させた、いわゆる三板式プロジェクタが考案されている。このような三板式プロジェクタは、光源としてのランプから射出された光束を赤（Ｒ）、緑（Ｇ）、青（Ｂ）の３色の色光に分離する色分離光学系と、分離された色光ごとに設けられ、入射する色光を画像情報に応じて変調する光変調装置としての複数の液晶パネルと、各液晶パネルで変調された色光を合成して光学像を形成する合成光学装置とを備えて構成されている（例えば、特許文献１参照）。
【０００４】
この特許文献１に記載のプロジェクタでは、光の偏光方向を調整する偏光板本体と、当該偏光板本体を挟む一対のガラス基板と、当該偏光板本体および一対のガラス基板を保持するフレームおよび押さえばねとが設けられ、これらが一体的に偏光板を構成している。そして、この偏光板は、合成光学装置としてのクロスダイクロイックプリズムの光束入射面に液晶パネルを取り付ける取付板により、当該液晶パネルとクロスダイクロイックプリズムとの間に配置される。
【０００５】
【特許文献１】特開２００４−１９８５９６号公報（第５〜第７頁、図１）
【発明の開示】
【発明が解決しようとする課題】
【０００６】
しかしながら、特許文献１に記載のプロジェクタでは、偏光板本体をクロスダイクロイックプリズムに取り付ける部品点数が増加するため、当該プロジェクタの構成および製造工程が複雑化するという問題がある。
これに対し、偏光板本体と、当該偏光板本体を挟持する一対のガラス基板とを接着固定し、当該一対のガラス基板のうち、偏光板本体の光束射出側に配置されるガラス基板を、クロスダイクロイックプリズムの光束入射面に貼付する構成が考えられる。このような場合、偏光板の取付に係る部品点数を削減することができるが、偏光板本体の光束入射面に、取付板を介して液晶パネルを取り付けると、液晶パネルとクロスダイクロイックプリズムとの間に介在する接着層が多くなる。このため、液晶パネルのクロスダイクロイックプリズムに対する位置調整が難しくなるほか、接着層の経年変化とともに液晶パネル等の自重によって、当該液晶パネルの位置ずれが生じる場合があるという問題がある。
このような問題に対して、部品点数の増加を抑えつつ、液晶パネルの位置ずれを抑制することができるプロジェクタが要望されてきた。
【０００７】
本発明の目的は、部品点数を削減でき、光変調装置のずれを抑制できる光学装置およびプロジェクタを提供することである。
【課題を解決するための手段】
【０００８】
前記した目的を達成するために、本発明の光学装置は、入射光束を画像情報に応じて変調する複数の光変調装置と、当該各光変調装置の光束射出側に設けられ、それぞれの前記光変調装置から射出された光束を光学的に変換する複数の光学素子と、当該各光学素子の光束射出側に位置する複数の光束入射面を有し、前記各光学素子から射出された光束を合成して光学像を形成するプリズムとを備え、プロジェクタに用いられる光学装置であって、前記複数の光変調装置のうち、少なくともいずれかを保持する保持部材と、前記保持部材により保持される前記光変調装置から射出された光束が入射する前記光学素子の光束入射側および光束射出側に配置され、前記光学素子を挟持する一対の透光性基板とを備え、前記一対の透光性基板のうち、前記光学素子の光束射出側に配置された射出側基板は、当該光学素子より大きな寸法を有し、当該射出側基板は、前記プリズムの前記光束入射面に固定され、前記保持部材には、当該保持部材により保持される前記光変調装置から射出された光束が通過する開口が形成され、当該保持部材は、前記一対の透光性基板のうち、前記光学素子の光束入射側に配置される入射側基板、及び、前記光学素子を覆うように、前記射出側基板に取り付けられることを特徴とする。
【０００９】
このような光学素子として、入射光束のうち、所定の偏光方向を有する光束を透過し、他の偏光方向を有する光束を遮光する偏光膜や、光学像の視野角を制御する視野角制御フィルタ、所定波長の色光を透過するカラーフィルタ等を例示することができる。
【００１０】
本発明によれば、光学素子は、一対の透光性基板によって挟持され、当該一対の透光性基板のうち、光学素子の光束射出側に位置する射出側基板は、プリズムの光束入射面に固定される。そして、光変調装置は、保持部材により射出側基板に取り付けられる。これによれば、射出側基板および保持部材を介して光変調装置をプリズムに容易に取り付けることができる。
また、前述の特許文献１に記載のプロジェクタのように、光学素子をプリズムの光束入射面に固定する取付板のような部材を新たに設ける必要がないので、部品点数の増加を抑えることができるほか、光学素子の取付を容易に行うことができる。
従って、光変調装置および光学素子の取付を容易に行うことができるとともに、光学装置の構成が複雑化することを抑えることができる。
【００１１】
さらに、光変調装置を保持する保持部材は、プリズムの光束入射面に接着固定される射出側基板に取り付けられる。これによれば、一対の透光性基板のうち、光学素子の光束入射側に配置される基板に、保持部材が取り付けられる場合に比べて、プリズムと光変調装置との間に介在する部材の点数を少なくすることができる。このため、プリズムに対する光変調装置の位置決め固定を容易に行うことができる。
【００１２】
さらに、各透光性基板と光学素子とを接着固定し、当該透光性基板を構成する射出側基板をプリズムに対して接着し、光学素子の光束入射側に配置される透光性基板に保持部材を接着する構成では、保持部材とプリズムとの間に接着層が４箇所に存在することとなる。このため、接着層の経年変化により、各接着層のうち、いずれかの接着層を介して当接する部材同士にずれが生じた場合、当該光変調装置のプリズムに対する位置が、光変調装置の射出光束の光軸に対してずれてしまう。
これに対し、本発明では、保持部材を射出側基板に対して接着固定した場合でも、保持部材とプリズムとの間に介在する接着層は２箇所となる。このため、プリズムと射出側基板との間、および、射出側基板と保持部材との間にずれが生じない限り、プリズムに対する光変調装置のずれが生じないこととなる。従って、プリズムに対する光変調装置の位置ずれの発生を一層抑制でき、光学装置の長寿命化を図ることができる。
【００１３】
本発明では、前記射出側基板は、当該射出側基板に入射する光束の光軸に略直交する方向に、当該プリズムから延出するように固定され、前記保持部材は、前記射出側基板の光束入射側の面における前記プリズムからの延出部分に対応する位置に取り付けられていることが好ましい。
【００１４】
本発明によれば、光学素子の寸法を大きくすることができる一方、プリズムの寸法を小さくすることができる。
すなわち、射出側基板は、プリズムに対して延出するように設けられ、光変調装置を保持する保持部材は、射出側偏光板の光束入射面におけるプリズムから延出した部分に取り付けられる。ここで、射出側基板の寸法が、プリズムの光束入射面の寸法以下である場合には、当該射出側基板の光束入射面に保持部材を取り付ける領域を確保するために、プリズムの光束入射面に対して光学素子の寸法が小さくなってしまう。このような場合、光変調装置から射出された光束の略全てが、必ずしも光学素子に入射しない場合が生じてしまう。一方、光学素子に光変調装置から射出された光束の全てを確実に光学素子に入射させるようにするには、射出側基板の寸法を大きくする必要がある。この際、射出側基板の大型化に伴って、プリズムの光束入射面を大きくする必要が生じるため、プリズムの小型化に制約が生じてしまう。
【００１５】
これに対し、射出側基板に対する保持部材の取付位置を、当該射出側基板がプリズムから延出した部分とすることにより、光学素子の寸法を光変調装置の画像形成領域の寸法に合わせることができるだけでなく、確実に光学素子に光束を入射させるために、当該光学素子の寸法を大きくすることができる。従って、光学素子に入射しない無駄な光が生じることを防ぐことができる。
また、射出側基板がプリズムに対して延出するように設けられ、当該延出部分に保持部材が取り付けられるため、プリズムの光束入射面の寸法を、射出側基板の寸法に合わせるような制約が回避される。これにより、プリズムの光束入射面の寸法は、光学素子から射出される光束による照明領域に合わせることができるので、プリズムの小型化を図ることができる。従って、光学装置の小型化を図ることができる。
【００１６】
また、射出側基板のプリズムに対する延出方向が、当該射出側基板に入射する光束の光軸に略直交する方向で、かつ、前記プリズムにおける前記複数の光束入射面が形成された方向に略直交する方向とされていることにより、他の光学素子に応じて一対の透光性基板を設け、当該透光性基板を構成する射出側基板をプリズムの他の光束入射面に配置した場合でも、それぞれの射出側基板が相互に干渉することを防ぐことができる。
【００１７】
本発明では、前記入射側基板と、前記保持部材に保持された前記光変調装置との間には、所定の間隔を有する隙間が設けられていることが好ましい。
本発明によれば、光変調装置と入射側基板との間に、所定の間隔を有する隙間が設けられていることにより、当該光変調装置と入射側基板との間に、冷却空気を流通させることができる。これによれば、当該冷却空気により、光変調装置を直接冷却することができるだけでなく、光変調装置の熱が伝導した保持部材を冷却することができ、また、光学素子の熱が伝導した入射側基板を冷却することができる。従って、これら光変調装置および光学素子の冷却効率を向上することができる。
【００１８】
また、本発明のプロジェクタは、光源から射出された光束を画像情報に応じて変調して光学像を形成し、形成された前記光学像を投射するプロジェクタであって、前述の光学装置を備え、前記光変調装置は、前記光源から射出された光束の光軸上に配置されることを特徴とする。
本発明によれば、前述の光学装置と同様の効果を奏することができる。
すなわち、光学装置の構成および製造工程を簡略化することができ、ひいては、プロジェクタの構成および製造工程を簡略化することができる。また、光変調装置のプリズムに対する位置ずれ、および、光源から射出された光束の光軸に対する光変調装置の位置ずれを抑えることができる。従って、適切な光学像を安定して形成することができる。
【発明を実施するための最良の形態】
【００１９】
〔１．第１実施形態〕
以下、本発明の第１実施形態を図面に基づいて説明する。
（１）プロジェクタ１の構成
図１は、本実施形態に係るプロジェクタ１の内部構成を示す模式図である。
プロジェクタ１は、入力する画像情報に応じた光学像を形成し、当該光学像をスクリーン等に拡大投射するものである。このプロジェクタ１は、図１に示すように、外装筐体２と、投射レンズ３と、光学ユニット４等を備えて構成されている。
なお、図１において、図示は省略するが、外装筐体２内において、投射レンズ３および光学ユニット４以外の空間には、プロジェクタ１内部を冷却する冷却ファン等で構成される冷却ユニット、プロジェクタ１内部の各構成部材に電力を供給する電源ユニット、およびプロジェクタ１全体を制御する制御ユニット等が配置されるものとする。
【００２０】
このうち、外装筐体２は、合成樹脂等から構成され、投射レンズ３および光学ユニット４等を内部に収納配置する全体略直方体状に形成されている。この外装筐体２は、図示は省略するが、プロジェクタ１の天面、前面、背面、および左右両側面をそれぞれ構成するアッパーケースと、プロジェクタ１の底面、前面、および背面をそれぞれ構成するロアーケースとで構成され、アッパーケースおよびロアーケースは互いにねじ等で固定されている。なお、外装筐体２は、合成樹脂等に限らず、その他の材料にて形成してもよく、例えば、金属等により構成してもよい。
投射レンズ３は、後述する光学ユニット４にて形成された光学像（カラー画像）を図示しないスクリーン上に拡大投射する投射光学系としての機能を有する。この投射レンズ３は、筒状の鏡筒内に複数のレンズが収納された組レンズとして構成されている。
【００２１】
（２）光学ユニット４の構成
光学ユニット４は、制御ユニットによる制御の下、光源から射出された光束を、光学的に処理して画像情報に対応した光学像（カラー画像）を形成するユニットである。この光学ユニット４は、外装筐体２の背面に沿って延出するとともに、当該外装筐体２の側面に沿って延出する平面視略Ｌ字形状を有している。
この光学ユニット４は、照明光学装置４１と、色分離光学装置４２と、リレー光学装置４３と、光学装置４４と、これらのうち、光学部品４１〜４３および光学装置４４の入射側偏光板４４２を内部に収納配置する光学部品用筐体４５とを備えている。
【００２２】
照明光学装置４１は、光学装置４４を構成する後述する液晶パネル５の画像形成領域をほぼ均一に照明するための光学系である。この照明光学装置４１は、光源装置４１１と、第１レンズアレイ４１２と、第２レンズアレイ４１３と、偏光変換素子４１４と、重畳レンズ４１５とを備えて構成されている。
【００２３】
光源装置４１１は、放射状の光線を射出する光源ランプ４１６と、この光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプやメタルハライドランプ、高圧水銀ランプを利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２４】
第１レンズアレイ４１２は、入射光束の光軸方向から見て略矩形状の輪郭を有する小レンズがマトリクス状に配列された構成を有している。各小レンズは、光源装置４１１から射出される光束を、複数の部分光束に分割する。
第２レンズアレイ４１３は、第１レンズアレイ４１２と同様な構成を有しており、小レンズがマトリクス状に配列された構成を有している。この第２レンズアレイ４１３は、
当該第２レンズアレイ４１３の光路後段に配置された重畳レンズ４１５とともに、第１レンズアレイ４１２の各小レンズから射出された像を、光学装置４４の後述する液晶パネル５の画像形成領域に結像させる機能を有している。
【００２５】
偏光変換素子４１４は、第２レンズアレイ４１３と重畳レンズ４１５との間に配置され、第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル５の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、光学装置４４での光の利用効率を高めている。
【００２６】
色分離光学装置４２は、２枚のダイクロイックミラー４２１，４２２と、反射ミラー４２３とを備え、ダイクロイックミラー４２１，４２２により照明光学装置４１から射出された複数の部分光束を赤（Ｒ）、緑（Ｇ）、青（Ｂ）の３色の色光に分離する色分離光学系としての機能を有している。
リレー光学装置４３は、入射側レンズ４３１、リレーレンズ４３３、および反射ミラー４３２，４３４を備え、色分離光学装置４２で分離された赤色光を赤色光用の液晶パネル５（５Ｒ）まで導く機能を有している。
【００２７】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル５（５Ｂ）に達する。このフィールドレンズ４１９は、第２レンズアレイ４１３から射出された各部分光束をその中心軸（主光線）に対して平行な光束に変換する。緑色光用および赤色光用の液晶パネル５（５Ｇ，５Ｒ）の光入射側に設けられたフィールドレンズ４１９も同様である。
【００２８】
ダイクロイックミラー４２１を透過した赤色光と緑色光のうち、緑色光はダイクロイックミラー４２２によって反射し、フィールドレンズ４１９を通って緑色光用の液晶パネル５（５Ｇ）に達する。一方、赤色光はダイクロイックミラー４２２を透過してリレー光学装置４３を通り、さらにフィールドレンズ４１９を通って赤色光用の液晶パネル５（５Ｒ）に達する。なお、赤色光の光路上にリレー光学装置４３が配置されているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２９】
光学装置４４は、色分離光学装置４２から射出される３つの色光を画像情報に応じてそれぞれ変調し、変調した各色光を合成して光学像（カラー画像）を形成する。
この光学装置４４は、光変調装置としての３つの液晶パネル５（赤色光用の液晶パネルを５Ｒ、緑色光用の液晶パネルを５Ｇ、青色光用の液晶パネルを５Ｂとする）と、これら液晶パネル５の光束入射側にそれぞれ配置される３つの入射側偏光板４４２と、各液晶パネル５の光束射出側にそれぞれ配置される３つの射出側偏光板４４３と、色合成光学装置としてのクロスダイクロイックプリズム４４４と、液晶パネル５を保持する保持部材６（図１では図示省略）と、射出側偏光板４４３を挟持する一対の透光性基板７（図１では図示省略）とを備えて構成されている。そして、これらのうち、液晶パネル５、射出側偏光板４４３、クロスダイクロイックプリズム４４４、保持部材６および一対の透光性基板７によって、光学装置本体４４０が構成されている。なお、光学装置本体４４０については、後に詳述する。
【００３０】
このうち、入射側偏光板４４２には、偏光変換素子４１４で偏光方向が略一方向に揃えられた各色光が入射し、当該入射側偏光板４４２は、入射した光束のうち、偏光変換素子４１４で揃えられた光束の偏光方向と略同一方向の偏光光のみ透過させ、その他の光束を吸収するものである。この入射側偏光板４４２は、例えば、サファイアガラスまたは水晶等の透光性基板上に偏光膜が貼付された構成を有している。
液晶パネル５は、一対の透明ガラス基板に光学物質である液晶が密閉封入された構成を有し、制御ユニットから入力する駆動信号に応じて、画像形成領域内にある液晶の配向状態が制御され、入射側偏光板４４２から射出された偏光光束の偏光方向を変調して、入射する色光に応じた色画像を形成する。
【００３１】
射出側偏光板４４３は、本発明の光学素子に相当し、液晶パネル５から射出された光束のうち、入射側偏光板４４２における光束の透過方向と直交する偏光方向を有する光束のみ透過させ、その他の光束を吸収するものである。この射出側偏光板４４３は、本実施形態では、フィルム状に形成されている。
【００３２】
クロスダイクロイックプリズム４４４は、各射出側偏光板４４３から射出されたＲ画像、Ｇ画像およびＢ画像としての各色光を合成して光学像（カラー画像）を形成する合成光学装置である。このクロスダイクロイックプリズム４４４は、４つの直角プリズムを貼り合わせた平面視正方形状をなし、直角プリズム同士を貼り合わせた界面には、２つの誘電体多層膜が形成されている。これら誘電体多層膜は、投射レンズ３と対向する側（Ｇ色光側）に配置された射出側偏光板４４３を介した色光を透過し、残り２つの射出側偏光板４４３（Ｒ色光側およびＢ色光側）を介した色光を反射する。このようにして、各入射側偏光板４４２、各液晶パネル５および各射出側偏光板４４３にて変調された各色光が合成されてカラー画像が形成される。
【００３３】
光学部品用筐体４５は、内部に所定の照明光軸Ａが設定され、上述した光学部品４１〜４４を照明光軸Ａに対する所定位置に配置する合成樹脂製の箱状部材である。この光学部品用筐体４５の内部には、詳しい図示を省略したが、各光学部品４１〜４４を位置決め固定するための複数の溝が形成されている。
【００３４】
（３）光学装置本体４４０の構成
図２は、光学装置本体４４０を示す斜視図である。また、図３は、光学装置本体４４０を示す分解斜視図である。なお、構成を分かりやすくするために、図２においては、液晶パネル５Ｂの図示を省略し、図３においては、緑色光の光路上に配置される各光学部品のみを図示する。
光学装置本体４４０は、入射した光束を液晶パネル５により画像情報に応じて変調して、当該入射光束に応じた色画像を形成し、当該色画像をクロスダイクロイックプリズム（以下、「プリズム」と略す場合がある）４４４で合成して光学像（カラー画像）を形成するものである。この光学装置本体４４０は、前述のように、液晶パネル５、射出側偏光板４４３、プリズム４４４、保持部材６および一対の透光性基板７を備えて構成され、これらによってユニットとして構成されている。
【００３５】
以下、プリズム４４４における各光束入射面（赤色光が入射する光束入射面を４４４Ｒ、緑色光が入射する光束入射面を４４４Ｇ、および、青色光が入射する光束入射面を４４４Ｂとする）のうち、光束入射面４４４Ｇ側に配置される各部材の配置および構成について説明するが、他の光束入射面４４４Ｒ，４４４Ｂにおいても同様の構成とされている。
【００３６】
（3-1）透光性基板７の構成
プリズム４４４において、緑色光が入射する光束入射面４４４Ｇには、図２および図３に示すように、一対の透光性基板７を構成し、射出側偏光板４４３の光束射出側に配置される射出側基板７１が接着固定される。
この射出側基板７１は、射出側偏光板４４３の外形寸法よりも大きく、かつ、光束入射面４４４Ｒ，４４４Ｇ，４４４Ｂの外形寸法より大きく形成されている。詳述すると、射出側基板７１は、当該射出側基板７１を光束入射面４４４Ｇに固定した際に、当該光束入射面４４４Ｇに入射する光束の光軸に対する直交方向で、かつ、各光束入射面４４４Ｒ，４４４Ｇ，４４４Ｂが形成された方向に対する直交方向である上下方向に延出するように形成されている。このうち、上方側に延出した部分が、上方延出部７１１とされ、下方側に延出した部分が下方延出部７１２とされている。そして、この射出側基板７１の光束入射面７１Ａの略中央には、射出側偏光板４４３が貼付される。
【００３７】
射出側基板７１の光束入射面７１Ａに貼付された射出側偏光板４４３の光束入射側には、一対の透光性基板７を構成し、射出側基板７１とともに、射出側偏光板４４３を挟持する入射側基板７２が設けられている。この入射側基板７２は、射出側偏光板４４３の外形寸法よりわずかに大きく形成され、射出側偏光板４４３を覆うようにして、当該射出側偏光板４４３の光束入射側の面に貼付される。
なお、これら一対の透光性基板７を構成する射出側基板７１および入射側基板７２は、水晶、サファイア、ＹＡＧ結晶化ガラス、石英、パイレックス（登録商標）および白板ガラス等で形成することができる。
このように、射出側偏光板４４３を一対の透光性基板７で挟持することにより、射出側偏光板４４３で発生した熱が入射側基板７２および射出側基板７１に伝達されるので、射出側偏光板４４３の温度上昇を抑えることができる。
【００３８】
（3-2）液晶パネル５の構成
液晶パネル５は、内部に液晶素子が密閉封入されたパネル本体５１と、当該パネル本体５１を保持する保持枠５２とを備えて構成されている。
このうち、パネル本体５１は、入射光束の光軸方向から見て略矩形の箱型形状に形成されている。そして、このパネル本体５１は、前述のように、制御ユニットから入力する駆動信号に応じて、内部に封入された液晶素子の配向状態が制御され、当該液晶素子を入射した光束が透過する過程で変調して、入射光束に応じた色画像を形成する。
このパネル本体５１に入射する光束の光軸方向から見て、当該パネル本体５１の四隅には、パネル本体５１を貫通する孔部５１１がそれぞれ形成されている。
【００３９】
保持枠５２は、上方から見て略Ｕ字状を有し、また、入射光束の光軸方向から見て略矩形状を有する金属製の部材である。この保持枠５２には、入射光束の光軸に沿って上下方向に延出し、互いに対向配置される一対の板状部５２１，５２２と、当該板状部５２１，５２２の光束射出側の端部を接続する板状部５２３とが形成されている。
このうち、一対の板状部５２１，５２２の互いに対向する面とは反対側の面には、面外方向に突出する３つの突出部５２１１，５２２１が、それぞれ形成されている。具体的に、突出部５２１１，５２２１は、板状部５２１，５２２の外側の面における上方、略中央、下方の近傍にそれぞれ形成されている。そして、これら突出部５２１１，５２２１は、後述する保持部材６の開口６１１，６２１にそれぞれ嵌合される。
【００４０】
板状部５２３の略中央には、パネル本体５１から射出された光束が透過する略矩形状の開口５２３１が形成されている。この開口５２３１は、パネル本体５１の画像形成領域、すなわち、液晶素子が配置された領域に応じた寸法で形成されている。
また、板状部５２３の四隅には、ねじ孔５２３２がそれぞれ形成されており、当該ねじ孔５２３２には、パネル本体５１に形成された孔部５１１を挿通したねじ（図示省略）が螺合する。これにより、保持枠５２にパネル本体５１が固定される。
【００４１】
（3-3）保持部材６の構成
図４は、保持部材６と一対の透光性基板７とがプリズム４４４に取り付けられた状態を上方から見た平面図である。また、図５は、保持部材６と一対の透光性基板７とがプリズム４４４に取り付けられた状態を示す側面図である。なお、図５においては、液晶パネル５（５Ｇ）の図示を省略している。
保持部材６は、前述のように、液晶パネル５を光束射出側から覆うように保持するものであり、図２から図５に示すように、当該保持部材６は、入射側基板７２および射出側偏光板４４３を覆うようにして、プリズム４４４の光束入射面４４４Ｇに貼付された射出側基板７１に接着固定される。
この保持部材６は、保持枠５２と同様に、上方から見て略Ｕ字状を有し、入射光束の光軸方向から見て略矩形状を有する金属製部材である。この保持部材６は、入射光束の光軸に沿って上下方向に延出し、互いに対向する一対の板状部６１，６２と、当該板状部６１，６２の光束射出側の端部間を接続する板状部６３とを備えて構成されている。
【００４２】
一対の板状部６１，６２には、図２、図３および図５に示すように、保持枠５２に形成された突出部５２１１，５２２１に対応する位置に、横長略矩形状の開口６１１，６２１がそれぞれ３つずつ形成されている。この開口６１１，６２１に突出部５２１１，５２２１がそれぞれ嵌合したまま、液晶パネル５を保持部材６に対して光軸方向にずらすことで、液晶パネル５の位置調整が行われる。なお、保持部材６の板状部６１，６２における互いに対向する面と、液晶パネル５の保持枠５２の外側の面とは、紫外線硬化性の接着剤等により接着固定される。
【００４３】
一対の板状部６１，６２の光束射出側の端部間を接続する板状部６３は、図４に示すように、板状部６１，６２の光束射出側の端部から、互いに近接し、かつ、光束射出側に向かって傾斜した後、一対の板状部６１，６２に直交する方向に延出して接続された略Ｕ字形状に形成されている。
この板状部６３の略中央には、入射光束の光軸方向から見て略矩形の開口６３１が形成されている。この開口６３１には、図２および図４に示すように、入射側基板７２が露出し、液晶パネル５から射出された光束が、当該開口６３１に露出した入射側基板７２に入射する。
【００４４】
ここで、板状部６１，６２間の内側の寸法は液晶パネル５の水平方向の寸法と略同じであるので、保持部材６が液晶パネル５を保持した際には、当該板状部６３における板状部６１，６２近傍の傾斜部６３２，６３３（板状部６１に接続される傾斜部を６３２、板状部６２に接続される傾斜部を６３３とする）から光束射出側には、液晶パネル５が位置しないこととなる。このため、当該保持部材６を射出側基板７１に固定すると、図４に示すように、液晶パネル５と、入射側基板７２との間には、所定の間隔を有する隙間Ｓが形成される。この隙間Ｓには、液晶パネル５の光束射出側の面および入射側基板７２を冷却する冷却空気が流通する。これにより、液晶パネル５を直接冷却することができるだけでなく、当該液晶パネル５で発生し保持部材６に伝導された熱、および、射出側偏光板４４３で発生し入射側基板７２に伝導された熱を冷却することができる。従って、これら液晶パネル５および射出側偏光板４４３の冷却効率を向上することができる。
【００４５】
板状部６３における開口６３１の上方および下方に位置する水平部６３４，６３５の光束射出側の面は、図５に示すように、プリズム４４４の光束入射面４４４Ｒ，４４４Ｇ，４４４Ｂに貼付された射出側基板７１の光束入射面７１Ａに、紫外線硬化性の接着剤等により接着固定される。これら水平部６３４，６３５が接着固定される射出側基板７１の位置は、当該射出側基板７１におけるプリズム４４４の光束入射面４４４Ｇから上下方向に延出した上方延出部７１１および下方延出部７１２とされている。
詳述すると、板状部６３において上方に位置する水平部６３４は、射出側基板７１の光束入射面７１Ａにおける上方延出部７１１に対応する位置に、また、下方に位置する水平部６３５は、光束入射面７１Ａにおける下方延出部７１２に対応する位置に、それぞれ接着される。これにより、保持部材６が射出側基板７１に固定される。
【００４６】
（3-4）各部材の固定
以上説明した射出側偏光板４４３、液晶パネル５および透光性基板７の光束入射面４４４Ｇへの取付について説明する。
まず、プリズム４４４の光束入射面４４４Ｇに、一対の透光性基板７のうち、射出側基板７１を配置する。この際、射出側基板７１は、光束入射面４４４Ｒ，４４４Ｇ，４４４Ｂに対して、上下端部（上方延出部７１１および下方延出部７１２）が、当該射出側基板７１が配置される光束入射面４４Ｇから上下に延出するように接着固定する。
この後、射出側基板７１の光束入射面７１Ａの略中央部分に、射出側偏光板４４３を貼付し、この射出側偏光板４４３の光束入射面に対して、当該射出側偏光板４４３を覆うように、入射側基板７２を接着固定する。
【００４７】
次に、パネル本体５１を保持枠５２にねじ固定した液晶パネル５（５Ｇ）を、保持部材６に保持させる。この際、保持枠５２の板状部５２１，５２２と、保持部材６の板状部６１，６２との間に紫外線硬化性の接着剤を塗布し、保持枠５２の板状部５２１，５２２の外側の面に形成された突出部５２１１，５２２１が、保持部材６の板状部６１，６２に形成された開口６１１，６２１にそれぞれ嵌合するようにして、当該保持枠５２を保持部材６に取り付ける。
【００４８】
この後、液晶パネル５を保持した保持部材６を、プリズム４４４の光束入射面４４４Ｇに固定された射出側基板７１の光束入射面７１Ａに紫外線硬化性の接着剤により固定する。そして、保持部材６の光束射出側の面における水平部６３４に対応する部分を、射出側基板７１の光束入射面７１Ａにおける上方延出部７１１に対応する部分に、また、水平部６３５に対応する部分を、光束入射面７１Ａにおける下方延出部７１２に対応する部分に接着固定する。
そして、液晶パネル５の位置調整を行った後、これら各部材に紫外線を照射することにより、プリズム４４４の光束入射面４４４Ｇに、射出側偏光板４４３、液晶パネル５、保持部材６および透光性基板７が固定される。
【００４９】
以上のような本実施形態のプロジェクタ１によれば、以下の効果を奏することができる。
すなわち、液晶パネル５Ｇを保持する保持部材６は、プリズム４４４の光束入射面４４４Ｇに接着固定された射出側基板７１の光束入射面７１Ａに接着固定される。これによれば、液晶パネル５Ｇから見て、プリズム４４４との間に介装される接着層を少なくすることができる。
【００５０】
詳述すると、例えば、射出側基板７１とともに射出側偏光板４４３を挟持する入射側基板７２に保持部材６を接着固定する場合には、プリズム４４４と射出側基板７１との間、射出側基板７１と射出側偏光板４４３との間、射出側偏光板４４３と入射側基板７２との間、および、入射側基板７２と保持部材６との間に合計４層の接着層が存在することとなる。これに対し、保持部材６を射出側基板７１に接着固定することとしたため、接着層が、プリズム４４４と射出側基板７１との間、および、射出側基板７１と保持部材６との間の合計２層とすることができる。これにより、介装される接着層の数を少なくすることができる。従って、接着層の経年変化による液晶パネル５Ｇの位置ずれを生じにくくすることができ、光学装置４４の長寿命化を図ることができる。また、当該液晶パネル５Ｇの位置調整を容易に行うことができる。なお、このような効果は、液晶パネル５Ｒ，５Ｂにおいても同様に奏することができる。
【００５１】
また、保持部材６が、射出側基板７１の光束入射面７１Ａに接着固定されるので、保持部材６の取付を容易に行うことができるほか、当該保持部材６に保持される液晶パネル５の位置調整を簡易に行うことができる。
さらに、射出側偏光板４４３および当該射出側偏光板４４３を挟持する一対の透光性基板７を保持するような部材を別途設ける必要がなくなるので、光学装置本体４４０の構成を簡略化することができ、ひいては、プロジェクタ１の製造工程を簡略化することができる。また、このように構成部材が少なくなるので、プロジェクタ１の分解等の工程を簡略化することができ、製品のリサイクル性を向上することができる。
【００５２】
また、保持部材６の射出側基板７１への取付に際しては、当該保持部材６の水平部６３４，６３５の光束射出側の面は、射出側基板７１の光束入射面７１Ａにおける上方延出部７１１および下方延出部７１２に対応する位置に接着される。これによれば、射出側偏光板４４３の大型化、および、プリズム４４４の小型化を図ることができる。
詳述すると、射出側基板７１において、プリズム４４４の光束入射面４４４Ｒ，４４４Ｇ，４４４Ｂに対応する領域内に、保持部材６を取り付けるための領域を確保する必要がなくなるので、当該射出側基板７１の光束入射面７１Ａに貼付される射出側偏光板４４３を大きくすることが可能となる。これにより、液晶パネル５の画像形成領域より大きな寸法を有する射出側偏光板４４３を配置することが可能となるので、当該液晶パネル５から射出された光束を確実に射出側偏光板４４３に入射させることができる。
【００５３】
一方、射出側基板７１における光束入射面４４４Ｒ，４４４Ｇ，４４４Ｂに対応する領域内に、保持部材６の接着領域がある場合には、射出側偏光板４４３の寸法を変更しない限り、射出側基板７１における保持部材６の接着領域を確保するために、プリズム４４４の光束入射面４４４Ｒ，４４４Ｇ，４４４Ｂを大きくする必要がある。これに対し、射出側基板７１において光束入射面４４４Ｒ，４４４Ｇ，４４４Ｂから上下に延出する上方延出部７１１および下方延出部７１２に対応する光束入射面７１Ａに、保持部材６を接着固定することで、プリズム４４４の光束入射面４４４Ｒ，４４４Ｇ，４４４Ｂを小さくすることができる。従って、プリズム４４４の小型化を図ることができる。
【００５４】
また、射出側基板７１における保持部材６の接着領域は、プリズム４４４の光束入射面４４４Ｒ，４４４Ｇ，４４４Ｂから上方に延出する部分である上方延出部７１１、および、下方に延出する下方延出部７１２とされている。これによれば、例えば、プリズム４４４の光束入射面４４４Ｇの水平方向には、光束入射面４４４Ｒ，４４４Ｂが位置するため、射出側基板７１が水平方向に延出している場合には、他の光束入射面に接着固定された射出側基板７１と干渉する。これに対し、射出側基板７１の延出方向が上下方向であるので、このような干渉を無くし、それぞれの光束入射面４４４Ｒ，４４４Ｇ，４４４Ｂに適切に射出側基板７１を配置することができる。従って、各光束入射面４４４Ｒ，４４４Ｇ，４４４Ｂに、射出側基板７１および保持部材６を配置することができる。また、これにより、前述の液晶パネル５の位置ずれの抑制および保持部材６の固定容易等の効果を、全ての液晶パネル５（５Ｒ，５Ｇ，５Ｂ）および保持部材６において奏することができる。
【００５５】
さらに、保持部材６の板状部６３に傾斜部６３２，６３３が形成されていることにより、当該保持部材６に保持された液晶パネル５と、板状部６３に形成された開口６３１から露出する入射側基板７２との間に、隙間Ｓを形成することができ、当該隙間Ｓに冷却空気を流通させることができる。これによれば、液晶パネル５の光束射出面を直接冷却することができるだけでなく、当該液晶パネル５の熱が伝導した保持部材６、および、射出側偏光板４４３の熱が伝導した入射側基板７２を冷却することができる。従って、これら液晶パネル５および射出側偏光板４４３を効率よく冷却することができる。
【００５６】
〔２．第２実施形態〕
次に、本発明の第２実施形態に係るプロジェクタについて説明する。
本実施形態のプロジェクタは、第１実施形態で示したプロジェクタ１と同様の構成を備えるが、液晶パネル５を保持する保持部材の形状においてプロジェクタ１と相違する。なお、以下の説明では、既に説明した部分と同一または略同一である部分については、同一の符号を付して説明を省略する。
【００５７】
本実施形態のプロジェクタは、詳しい図示を省略するが、前述のプロジェクタ１と同様に、光学ユニット４の他、冷却ユニット、電源ユニットおよび制御ユニット等と、これらを内部に収納する外装筐体２とを備えている。
このうち、光学ユニット４は、光源から射出された光束を画像情報に応じて変調して光学像を形成、投射するものであり、照明光学装置４１と、色分離光学装置４２と、リレー光学装置４３と、光学装置４４と、光学部品用筐体４５と、投射レンズ４６とを備えている。このうち、光学装置４４は、光学装置本体４４０に代えて、光学装置本体４４０Ａを備えて構成されている。
【００５８】
図６は、本実施形態の光学装置本体４４０Ａを示す平面図である。なお、図６においては、プリズム４４４の光束入射面４４４Ｒ，４４４Ｂ側に配置される各部材の図示を省略している。
光学装置本体４４０Ａは、図６に示すように、プリズム４４４と、当該プリズム４４４において緑色光が入射する光束入射面４４４Ｇに接着固定される射出側基板７１と、当該射出側基板７１に貼付される射出側偏光板４４３と、射出側偏光板４４３を覆うように固定される入射側基板７２と、液晶パネル５（５Ｇ）と、当該液晶パネル５（５Ｇ）を保持し、射出側基板７１に接着固定される保持部材６Ａとを備えて構成されている。
なお、図６においては図示を省略するが、プリズム４４４の光束入射面４４４Ｒ，４４４Ｇにおいても、同様の構成とされている。また、本実施形態においては、射出側基板７１は、プリズム４４４の光束入射面４４４Ｒ，４４４Ｇ，４４４Ｂのそれぞれと略同じ大きさに形成され、当該光束入射面４４４Ｒ，４４４Ｇ，４４４Ｂに合わせて接着固定されている。
【００５９】
保持部材６Ａは、上方から見て略Ｈ字状に形成され、また、当該保持部材６Ａが保持する液晶パネル５に入射する光束の光軸方向から見て略矩形状に形成されている。この保持部材６Ａは、入射側基板７２および射出側偏光板４４３を覆うようにして、射出側基板７１の光束入射面７１Ａに接着固定される。この保持部材６Ａには、液晶パネル５に入射する光束の光軸に沿うとともに、上下に延出し、互いに対向配置される一対の板状部６Ａ１，６Ａ２と、当該板状部６Ａ１，６Ａ２における入射光束の光軸に沿った方向の略中央間を架橋する板状部６Ａ３とが形成されている。
【００６０】
このうち、一対の板状部６Ａ１，６Ａ２の光束入射側の端部から板状部６Ａ３に至るまでの範囲には、詳しい図示を省略するが、前述の保持部材６に形成された開口６１１，６２１と同様の横長略矩形状を有する開口が、上方、略中央、下方にそれぞれ形成されている。これら開口には、液晶パネル５に形成された突出部５２１１，５２２１（図３参照）が嵌合される。また、板状部６Ａ１，６Ａ２の互いに対向する面には、紫外線硬化性の接着剤が塗布され、当該接着剤により、液晶パネル５が位置調整の後、保持部材６Ａに固定される。
【００６１】
板状部６Ａ３には、詳しい図示を省略したが、略中央に略矩形状の開口が形成されている。この開口は、保持部材６Ａが液晶パネル５を保持した際に、当該液晶パネル５の画像形成領域に対応する位置に、当該画像形成領域の寸法に応じて形成されている。この開口を介して、液晶パネル５から射出された光束が、入射側基板７２に入射し、当該光束は、入射側基板７２を介して、射出側偏光板４４３に入射する。
【００６２】
ここで、一対の板状部６Ａ１，６Ａ２の光束射出側の端面６Ａ１１，６Ａ２１は、プリズム４４４の光束入射面４４４Ｇに貼付された射出側基板７１の光束入射面７１Ａに接着固定される接着面とされている。すなわち、これら端面６Ａ１１，６Ａ２１には、紫外線硬化性の接着剤が塗布され、当該端面６Ａ１１，６Ａ２１は、射出側基板７１の光束入射面７１Ａにおける水平方向の端部近傍に接着される。これにより、保持部材６Ａを、射出側基板７１に固定することができる。
【００６３】
ここで、板状部６Ａ１，６Ａ２において、板状部６Ａ３の光束射出側の面から板状部６Ａ１，６Ａ２の端部の面である端面６Ａ１１，６Ａ２１に至る寸法は、射出側基板７１の光束入射面７１Ａから入射側基板７２の光束入射面までの寸法より大きく形成されている。このため、板状部６Ａ３の光束射出側の面と、入射側基板７２の光束入射面との間には、所定の間隔を有する隙間ＳＡが形成される。この隙間ＳＡには、前述の保持部材６の場合と同様に、冷却空気が流通し、液晶パネル５の光束射出面を直接冷却するとともに、当該液晶パネル５で発生し保持部材６Ａに伝導された熱、および、射出側偏光板４４３で発生し入射側基板７２に伝導された熱を冷却する。
【００６４】
以上のような本実施形態のプロジェクタによれば、前述のプロジェクタ１と同様の効果を奏することができる。
すなわち、液晶パネル５を保持する保持部材６Ａは、プリズム４４４の光束入射面４４４Ｒ，４４４Ｇ，４４４Ｂに接着固定された射出側基板７１の光束入射面７１Ａに接着固定される。これによれば、当該保持部材６Ａを入射側基板７２に固定する場合に比べ、液晶パネル５からプリズム４４４に至るまでに介在する接着層を少なくすることができる。従って、液晶パネル５Ｇの位置ずれを生じにくくすることができる。従って、液晶パネル５Ｇの光軸ずれを生じにくくすることができる。
【００６５】
保持部材６Ａは、射出側基板７１に対して接着固定されるので、当該保持部材６Ａの取付を容易に行うことができる。また、保持部材６Ａ、一対の透光性基板７および射出側偏光板４４３の固定に際して、他の部材を設ける必要が無くなるので、光学装置本体４４０Ａ、ひいては、プロジェクタの構成を簡略化することができる。これにより、プロジェクタの製造工程および分解工程を簡略化することができ、製品のリサイクル性を向上することができる。
【００６６】
さらに、保持部材６Ａの板状部６Ａ３と、入射側基板７２との間に、隙間ＳＡを形成することができるので、当該隙間ＳＡに冷却空気を流通させることができる。従って、液晶パネル５、保持部材６Ａおよび入射側基板７２を冷却することができるので、保持部材６Ａに保持される液晶パネル５および射出側偏光板４４３の冷却効率を向上することができる。
【００６７】
〔３．実施形態の変形〕
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６８】
前記各実施形態では、保持部材６，６Ａは、射出側基板７１の光束入射面７１Ａに接着固定されるとしたが、本発明はこれに限らない。例えば、保持部材６，６Ａが、射出側基板７１の光束射出側の面に固定される構成としてもよく、また、射出側基板７１における光束入射面７１Ａと光束射出側の面とを接続する側面に、保持部材６，６Ａが固定される構成としてもよい。
【００６９】
前記各実施形態では、各液晶パネル５（５Ｒ，５Ｇ，５Ｂ）は、それぞれ保持部材６，６Ａによって保持され、当該各保持部材６，６Ａは、プリズム４４４の光束入射面４４４Ｒ，４４４Ｇ，４４４Ｂに固定された射出側基板７１に接着固定されるとしたが、本発明はこれに限らず、各液晶パネル５（５Ｒ，５Ｇ，５Ｂ）のうち、少なくともいずれかが保持部材６，６Ａによって保持され、射出側基板７１に固定されていればよい。
【００７０】
前記第１実施形態では、射出側基板７１は、プリズム４４４の光束入射面４４４Ｒ，４４４Ｇ，４４４Ｂより上下に大きく形成され、当該射出側基板７１は、各光束入射面４４４Ｒ，４４４Ｇ，４４４Ｂから上下方向に延出するように固定されるとしたが、本発明はこれに限らない。例えば、各光束入射面４４４Ｒ，４４４Ｇ，４４４Ｂと略同じ寸法を有するように形成してもよい。このような場合、射出側偏光板４４３および入射側基板７２を避けて、保持部材６を射出側基板７１に固定すればよい。
【００７１】
また、前記第１実施形態では、射出側基板７１は、プリズム４４４の光束入射面４４４Ｒ，４４４Ｇ，４４４Ｂに対して上方に延出する上方延出部７１１、および、下方に延出する下方延出部７１２を有するとしたが、本発明はこれに限らない。例えば、射出側基板７１を、プリズム４４４の光束入射面に対して水平方向に延出するように配置してもよい。
【００７２】
前記第２実施形態では、保持部材６Ａの端面６Ａ１１，６Ａ２１は、射出側基板７１の光束入射面７１Ａにおける水平方向の端部近傍に接着されるとしたが、本発明はこれに限らず、上下方向（高さ方向）の端部近傍に接着されるとしてもよい。すなわち、板状部６Ａ１，６Ａ２が水平方向に沿って延出し、当該板状部６Ａ１，６Ａ２の光束射出側の端面６Ａ１１，６Ａ２１がそれぞれ、射出側基板７１の光束入射面７１Ａにおける上下方向の端部近傍に接着される構成としてもよい。
【００７３】
前記第２実施形態では、保持部材６Ａは、射出側基板７１の光束入射面７１Ａに対して、当該保持部材６Ａを構成する板状部６Ａ１，６Ａ２の光束射出側の端面６Ａ１１，６Ａ２１で接着されるとしたが、本発明はこれに限らない。例えば、対向する一対の板状部間を接続する板状部の光束射出側の面から面外方向に突出する突出部により、保持部材が射出側基板７１に固定されるようにしてもよい。また、このような場合、突出部は、当該突出部が形成される板状部の四隅にそれぞれ形成されるようにしてもよく、また、当該板状部を構成する各辺の略中央にそれぞれ形成されるようにしてもよい。
【００７４】
前記各実施形態では、入射側基板７２の光束入射面と、液晶パネル５との間には、隙間Ｓ，ＳＡが形成されるとしたが、本発明はこれに限らず、これら入射側基板７２と液晶パネル５とを互いに接触するように配置してもよい。
【００７５】
前記各実施形態では、光学素子として、射出側偏光板４４３を例示したが、本発明は、これに限らず、例えば、光学像の視野角を制御する視野角制御フィルタ、所定波長の色光を透過するカラーフィルタ等を用いてもよい。
また、前記各実施形態では、光学素子としての射出側偏光板４４３を一対の透光性基板７で挟持する構成としたが、本発明はこれに限らず、入射側基板７２の光束入射側に別の光学素子を配置させてもよい。
【００７６】
前記各実施形態では、プロジェクタ１は、３つの液晶パネル５Ｒ，５Ｇ，５Ｂを備えるとしたが、本発明はこれに限らない。すなわち、２つ以下、あるいは、４つ以上の液晶パネルを用いたプロジェクタにも、本発明を適用可能である。
また、前記各実施形態では、光学ユニット４は平面視略Ｌ字形状を有した構成を説明したが、これに限らず、例えば、平面視略Ｕ字形状を有した構成を採用してもよい。
さらに、前記各実施形態では、光束入射面と光束射出面とが異なる透過型の液晶パネル５を用いていたが、光入射面と光射出面とが同一となる反射型の液晶パネルを用いてもよい。
【００７７】
前記各実施形態では、光変調装置として液晶パネル５を備えたプロジェクタ１を例示したが、入射光束を画像情報に応じて変調して光学像を形成する光変調装置であれば、他の構成の光変調装置を採用してもよい。
また、前記各実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
【産業上の利用可能性】
【００７８】
本発明は、光学装置に利用でき、特にプロジェクタに採用される光学装置に好適に利用することができる。
【図面の簡単な説明】
【００７９】
【図１】本発明の第１実施形態に係るプロジェクタの構成を示す模式図。
【図２】前記実施形態における光学装置本体を示す斜視図。
【図３】前記実施形態における光学装置本体の構成を示す分解斜視図。
【図４】前記実施形態における保持部材と一対の透光性基板とがプリズムに取り付けられた状態を示す平面図。
【図５】前記実施形態における保持部材と一対の透光性基板とがプリズムに取り付けられた状態を示す側面図。
【図６】本発明の第２実施形態に係るプロジェクタに設けられた保持部材を示す平面図。
【符号の説明】
【００８０】
１…プロジェクタ、５（５Ｒ，５Ｇ，５Ｂ）…液晶パネル（光変調装置）、６，６Ａ…保持部材、７…透光性基板、４４…光学装置、７１…射出側基板、７２…入射側基板、４１６…光源ランプ（光源）、４４３…射出側偏光板（光学素子）、４４４…クロスダイクロイックプリズム（プリズム）、６３１…開口、７１１…上方延出部（延出部分）、７１２…下方延出部（延出部分）、４４４Ｒ，４４４Ｇ，４４４Ｂ…光束入射面。
【図１】
0004661635.tif 000002
【図２】
0004661635.tif 000003
【図３】
0004661635.tif 000004
【図４】
0004661635.tif 000005
【図５】
0004661635.tif 000006
【図６】
0004661635.tif 000007